(57)【要約】【課題】アクセスポイントの圏内で通話ができない事態が生じることを防止する。【解決手段】プログラムを実行するＣＰＵと、画面制御部３５と、電波強度監視部３２と、表示部（ディスプレイ）３３とを有し、無線ＬＡＮを介して交換機に接続されたアクセスポイントからの電波を受信する無線端末４である。電波強度監視部３２はアクセスポイントから受信する電波の強度を監視し、ＣＰＵは電波強度監視部３２が監視した電波の強度を所定の閾値と比較してアクセスポイントの圏内か圏外かを判定し、画面制御部３５は表示部（ディスプレイ）３３の表示画面が消灯した消灯状態でＣＰＵが圏外であると判定した場合に表示画面を消灯状態から表示画面を点灯させる点灯状態に移行させ、ＣＰＵは圏内であると判定した場合にアクセスポイントからの電波を受信して交換機を介して通話を行うように制御する。【選択図】図３
2018170615.tif 000002
【特許請求の範囲】
【請求項１】
プログラムを実行するＣＰＵと、画面制御部と、電波強度監視部と、表示部と、を有し、無線ＬＡＮを介して交換機に接続されたアクセスポイントからの電波を受信する無線端末であって、
前記電波強度監視部は、前記アクセスポイントから受信する電波の強度を監視し、
前記ＣＰＵは、前記電波強度監視部が監視した電波の強度を所定の閾値と比較して前記アクセスポイントの圏内か圏外かを判定し、
前記画面制御部は、
前記表示部の表示画面が消灯した消灯状態で前記ＣＰＵが前記圏外であると判定した場合に、前記表示画面を前記消灯状態から前記表示画面を点灯させる点灯状態に移行させ、
前記ＣＰＵは、
前記圏内であると判定した場合に、前記アクセスポイントからの電波を受信して前記交換機を介して通話を行うように制御することを特徴とする無線端末。
【請求項２】
前記アクセスポイントの圏外で前記表示部の表示画面を点灯させるため設定値を格納する画面点灯設定値テーブルを記憶する記憶部を更に有し、
前記画面制御部は、
前記ＣＰＵが前記圏外であると判定した場合に、前記画面点灯設定値テーブルを参照して、前記表示画面を前記消灯状態から前記点灯状態に移行させることを特徴とする請求項１に記載の無線端末。
【請求項３】
前記画面点灯設定値テーブルは、前記表示部の前記表示画面の点灯間隔及び点灯回数を格納し、
前記画面制御部は、
前記画面点灯設定値テーブルに格納されている前記点灯間隔及び前記点灯回数に基づいて、前記表示画面を点灯させることを特徴とする請求項２に記載の無線端末。
【請求項４】
前記画面制御部は、
前記ＣＰＵが、前記表示画面の点灯が前記画面点灯設定値テーブルに格納されている前記点灯回数に達する、もしくは前記圏内で前記アクセスポイントからの電波を受信したことを検知した場合に、前記表示部の前記表示画面の点灯を中止するように制御することを特徴とする請求項３に記載の無線端末。
【請求項５】
プログラムを実行するＣＰＵと、画面制御部と、電波強度監視部と、表示部と、を有し、無線ＬＡＮを介して交換機に接続されたアクセスポイントからの電波を受信する無線端末の画面制御方法であって、
前記電波強度監視部は、前記アクセスポイントから受信する電波の強度を監視し、
前記ＣＰＵは、前記電波強度監視部が監視した電波の強度を所定の閾値と比較して前記アクセスポイントの圏内か圏外かを判定し、
前記画面制御部は、前記表示部の表示画面が消灯した消灯状態で前記ＣＰＵが前記圏外であると判定した場合に、前記表示画面を前記消灯状態から前記表示画面を点灯させる点灯状態に移行させ、
前記ＣＰＵは、前記圏内であると判定した場合に、前記アクセスポイントからの電波を受信して前記交換機を介して通話を行うように制御することを特徴とする無線端末の画面制御方法。
【請求項６】
無線端末に搭載されたＣＰＵにより実行されるプログラムであって、
アクセスポイントから受信した電波の強度を所定の閾値と比較して前記アクセスポイントの圏内か圏外かを判定し、
表示部の表示画面を消灯した消灯状態で前記圏外であると判定した場合に、前記表示画面を前記消灯状態から前記表示画面を点灯させる点灯状態に移行させ、
前記圏内であると判定した場合に、前記アクセスポイントからの電波を受信して交換機を介して通話を行うように前記ＣＰＵを機能させることを特徴とする無線端末の画面制御プログラム。
【発明の詳細な説明】
【技術分野】
【０００１】
本発明は、無線端末、無線端末の画面制御方法及び無線端末の画面制御プログラムに関する。
【背景技術】
【０００２】
近年の無線端末は、無線ＬＡＮ（Ｌｏｃａｌ  Ａｒｅａ  Ｎｅｔｗｏｒｋ）を介してアクセスポイントからの電波を受信することによりネットワークに接続することが可能になっている。例えば、特許文献１には、無線ＬＡＮを介してネットワークに接続する技術が記載されている。
【先行技術文献】
【特許文献】
【０００３】
【特許文献１】特開２０１４−２３０１１０号公報
【発明の概要】
【発明が解決しようとする課題】
【０００４】
最近、無線ＬＡＮを介して構内交換機に接続されたアクセスポイントからの電波を受信し、構内交換機を介して通話を行うことが可能なソフトフォン等の無線端末が会社や病院等で使用されている。このような無線端末は、アクセスポイントの圏内であれば常に通話が可能であることが重要である。
【０００５】
しかし、無線端末の表示画面を消灯させた状態で構内を移動する際に、無線端末によっては、圏外から圏内に移動した時に、圏内に入ってもアクセスポイントからの電波を受信できない場合がある。このような無線端末では、アクセスポイントの圏内でも通話ができない事態が生じてしまう。
【０００６】
特許文献２には、アクセスポイントを探す方式については開示されているが、アクセスポイントの圏内で通話ができない事態が生じることについては言及されていない。
【０００７】
本発明の目的は、アクセスポイントの圏内で通話ができない事態が生じることを防止することにある。
【課題を解決するための手段】
【０００８】
本発明の一態様の無線端末は、プログラムを実行するＣＰＵと、画面制御部と、電波強度監視部と、表示部と、を有し、無線ＬＡＮを介して交換機に接続されたアクセスポイントからの電波を受信する無線端末であって、前記電波強度監視部は、前記アクセスポイントから受信する電波の強度を監視し、前記ＣＰＵは、前記電波強度監視部が監視した電波の強度を所定の閾値と比較して前記アクセスポイントの圏内か圏外かを判定し、前記画面制御部は、前記表示部の表示画面が消灯した消灯状態で前記ＣＰＵが前記圏外であると判定した場合に、前記表示画面を前記消灯状態から前記表示画面を点灯させる点灯状態に移行させ、前記ＣＰＵは、前記圏内であると判定した場合に、前記アクセスポイントからの電波を受信して前記交換機を介して通話を行うように制御することを特徴とする。
【０００９】
本発明の一態様の無線端末の画面制御方法は、プログラムを実行するＣＰＵと、画面制御部と、電波強度監視部と、表示部と、を有し、無線ＬＡＮを介して交換機に接続されたアクセスポイントからの電波を受信する無線端末の画面制御方法であって、前記電波強度監視部は、前記アクセスポイントから受信する電波の強度を監視し、前記ＣＰＵは、前記電波強度監視部が監視した電波の強度を所定の閾値と比較して前記アクセスポイントの圏内か圏外かを判定し、前記画面制御部は、前記表示部の表示画面が消灯した消灯状態で前記ＣＰＵが前記圏外であると判定した場合に、前記表示画面を前記消灯状態から前記表示画面を点灯させる点灯状態に移行させ、前記ＣＰＵは、前記圏内であると判定した場合に、前記アクセスポイントからの電波を受信して前記交換機を介して通話を行うように制御することを特徴とする。
【００１０】
本発明の一態様の無線端末の画面制御プログラムは、無線端末に搭載されたＣＰＵにより実行されるプログラムであって、アクセスポイントから受信した電波の強度を所定の閾値と比較して前記アクセスポイントの圏内か圏外かを判定し、表示部の表示画面を消灯した消灯状態で前記圏外であると判定した場合に、前記表示画面を前記消灯状態から前記表示画面を点灯させる点灯状態に移行させ、
前記圏内であると判定した場合に、前記アクセスポイントからの電波を受信して交換機を介して通話を行うように前記ＣＰＵを機能させることを特徴とする。
【発明の効果】
【００１１】
本発明の一態様によれば、アクセスポイントの圏内で通話ができない事態が生じることを防止することができる。
【図面の簡単な説明】
【００１２】
【図１】無線端末システムの全体構成を示す図である。
【図２】無線端末のハードウェア構成図である。
【図３】無線端末の機能構成図である。
【図４】既存の無線端末が圏内１から圏外及び圏外から圏内２に移動する際の動作について説明するための図である。
【図５】実施例の無線端末が圏内１から圏外及び圏外から圏内２に移動する際の動作について説明するための図である。
【図６】実施例の無線端末の動作について説明する図であり、画面点灯のための圏外と判定するフローチャートである。
【図７】実施例の無線端末の動作について説明する図であり、画面を点灯する際のフローチャートである。
【図８】画面点灯設定値を格納する画面点灯設定値テーブルを示す図である。
【発明を実施するための形態】
【００１３】
以下、図面を用いて実施例について説明する。
【００１４】
最初に、実施例の概要について説明する。  
スマートフォンを用いた内線通話を可能にし、構内交換機（ＩＰ−ＰＢＸ：Intenet Protocol Private Branch eXchange）に接続可能なネットワークが使用できる無線端末（ソフトフォン）が会社や病院等の構内で使用されている。ここで、ソフトフォンが通信の対象とするのは、無線ＬＡＮ規格のＷｉ−Ｆｉ（登録商標）である。ソフトフォンは、Ｗｉ−Ｆｉを介して構内交換機に接続されたアクセスポイントからの電波を受信して構内交換機を介して通話を行う。ソフトフォンは、構内交換機に接続可能なネットワークが使用できる環境であれば、内線通話を行うことができる。
【００１５】
ここで、ＩＰ−ＰＢＸとは、TCP/IPネットワーク上で音声通話システム(VoIP)を利用する際、無線端末(ＩＰ電話機)の回線交換を行う装置のことであり、内線電話における構内交換機(ＰＢＸ)の役割を果たすネットワーク機器である。建物内のＬＡＮ(構内通信網)を利用してコンピュータやＩＰ電話機などを使って内線通話を行うのに必要な機器で、外部の別のネットワークや公衆電話回線などとの中継や接続も行う。ＩＰ−ＰＢＸでＩＰ電話網を構築することで、内線電話網とコンピュータネットワークが一つに統合され、ネットワーク上の機能及びサービスの一つとして内線電話を提供することができる。
【００１６】
ソフトフォンによる通話は、データ通信を用いる通話のため、携帯電話機能を用いた通話と比較して通信料を削減することができる。ソフトフォンのアプリケーションは通信料削減のため、主にＷｉ−Ｆｉのアクセスポイントを用いる。
【００１７】
一般的に、スマートフォンは電池消費を軽減するため、無線端末が必要と判断した場合にＷｉ−Ｆｉ接続を行う。無線端末によっては、表示画面を消灯した場合、Ｗｉ−Ｆｉの有効範囲内に復帰した場合もＷｉ−Ｆｉ接続が復旧しない場合がある。この場合、表示画面を点灯させることによりＷｉ−Ｆｉ圏内の復旧は可能である。しかし、通常のスマートフォンで最も電池を消費するのは画面点灯処理であるため、表示画面を点灯し続けるのは電池の消費が増大し運用に支障が出てしまう。
【００１８】
実施例では、表示画面を消灯した場合に、Ｗｉ−Ｆｉの有効範囲内に復帰した時でもＷｉ−Ｆｉ接続が復旧しない無線端末において、電池消費を抑えてＷｉ−Ｆｉ圏内の復旧を可能にする。このために、実施例では、不必要に表示画面を点灯し続けるのではなく、所定の条件を満たした場合に表示画面を点灯させる。さらに、表示画面の点灯時間、点灯回数を利用者の運用に応じて設定することで電池消費を抑える。
【００１９】
図１を参照して、無線端末システムの全体構成について説明する。  
図１に示すように、構内交換機（ＩＰ−ＰＢＸ）１に、アクセスポイント２、３が接続されている。無線端末（電話機端末）４は、無線ＬＡＮを介して構内交換機１に接続されたアクセスポイント２、３からの電波を受信する。
【００２０】
アクセスポイント２、３の周辺の無線ＬＡＮのエリアに在圏する無線端末４は、そのアクセスポイント２、３を経由して構内交換機１に接続することができる。図１によれば、無線端末４は、２つのアクセスポイント２、３と通信可能な場所に位置している。例えば、無線端末４は、圏内１に位置している場合には、アクセスポイント３を経由して構内交換機１に接続される。また、無線端末４は、圏内２に位置している場合には、アクセスポイント２を経由して構内交換機１に接続される。尚、無線端末４は、圏外に位置している場合には、アクセスポイントが存在しないので構内交換機１には接続されない。
【００２１】
無線ＬＡＮには、無線端末４とアクセスポイント２、３との間でパケット送信を制御するためのＭＡＣ（Media Access Control：媒体アクセス制御）レイヤ技術が採用されている。ＭＡＣレイヤによって無線局間で交換されるＭＡＣフレームは、例えばＩＥＥＥ８０２．１１の標準規格によって規定されている。
【００２２】
次に、図２及び図３を参照して、実施例の無線端末４の構成について説明する。  
図２は、無線端末４のハードウェア構成図である。図３は、無線端末４の機能構成図である。
【００２３】
ここで、無線端末４として、例えば、スマートフォンが用いられる。図２に示すように、無線端末４は、ハードウェアとして、ＣＰＵ（Central Processor Unit）１００、ＲＦ部１０１、ベースバンドプロセッサ１０２、無線ＬＡＮ部１０３、カメラ１０４、ディスプレイＩ／Ｆ（InterFace）１０５、加速度センサ１０６、メインメモリ１０７、フラッシュメモリ１０８、オーディオＩ／Ｆ（InterFace）１０９が、バスで結合されて構成されている。また、ディスプレイＩ／Ｆ１０５には、ディスプレイ１１０とタッチパネル１２０が接続され、オーディオＩ／Ｆ１０９には、マイク１３０とスピーカ１４０が接続されている。
【００２４】
ＣＰＵ１００は、無線端末４の各部を制御し、メインメモリ１０７上にロードされる電波状態通知のためのプログラムを実行する演算制御のためのユニットである。ＣＰＵ１００は、フラッシュメモリ１０８に格納されるプログラムをメインメモリ１０７に読み込み実行することにより、種々の処理を行う。これらのプログラムやデータは、予めフラッシュメモリ１０８に格納しておいてもよいし、ＵＳＢメモリ等の記憶媒体から入力してもよいし、ネットワーク経由で外部のサーバなどからダウンロードしてもよい。また、そのプログラムにより実現される機能を、専用のハードウェアにより実現してもよい。
【００２５】
ＲＦ部１０１は、ベースバンドプロセッサ１０１の信号を無線帯域の高周波信号に変換し、逆に、無線帯域の高周波信号をベースバンドプロセッサ１０１の信号に変換するためのインタフェース装置である。無線端末（スマートフォン）４は、ＲＦ部１０１を介して、３Ｇ回線や４Ｇ回線により基地局を介して通信し、インターネットによりサーバと通信し、必要な情報のやりとりや、データのダウンロードを行うことができる。
【００２６】
ベースバンドプロセッサ１０２は、無線端末４の通信や通話に関するモジュールを制御するプロセッサである。また、ＲＦ部１０１と、ベースバンドプロセッサ１０１とにより、通信キャリアと送受信する電波の状態を測定する機能も有する。
【００２７】
無線ＬＡＮ部１０３は、無線ＬＡＮの規格（例えば、IEEE 802.11 a/b/g/n/acなど）により、近隣のアクセスポイント２、３（図１参照）と通信を行う部分である。また、無線ＬＡＮ部１０３は、無線ＬＡＮの通信帯域で、アクセスポイント２、３と送受信する電波の状態を測定する機能も有する。
【００２８】
カメラ１０４は、無線端末４の周りの状況を撮像し、それを画像データとしてフラッシュメモリ１０８に保存する。
【００２９】
ディスプレイＩ／Ｆ１０５は、ディスプレイ１１０とタッチパネル１２０を接続するインタフェースである。ディスプレイ１１０は、例えば、液晶ディスプレイや有機ＥＬ（Electro-Luminescence）ディスプレイ等のユーザに画像情報を表示する表示装置であり、３インチ〜５インチ程度の画面の表示サイズのものが一般に使用されている。タッチパネル１２０は、ユーザ５がディスプレイ１１０上を指又はタッチペンで接触することにより、データやコマンドを入力する仕組みの入力装置である。
【００３０】
加速度センサ１０６は、無線端末４に発生する加速度を測定するセンサである。測定された加速度は、例えば、画面の表示切り替えなどに使用される。
【００３１】
メインメモリ１０７は、フラッシュメモリ１０８に記憶されているプログラムをロードして一時的に保管し、またワークデータを記憶する記憶装置である。
【００３２】
フラッシュメモリ１０８は、通常メインメモリ１０７より大容量で、プログラムやデータを格納する不揮発性のメモリである。フラッシュメモリ１０８には、音源データ、動画データなどの各種データと、電波状態通知のためのプログラムのアプリケーションソフトウェアなどのプログラムを記憶する比較的大容量の記憶装置である。
【００３３】
オーディオＩ／Ｆ１０９は、マイク１３０やスピーカ１４０を接続するインタフェースである。マイク１３０は、外部から集音する装置である。スピーカ１４０は、音を出力する装置である。ユーザは、通話するときには、マイク１３０から音声を入力して、相手の音声は、スピーカ１４０から聴くことになる。
【００３４】
次に、図３を参照して、無線端末（スマートフォン）４のソフトウェア（機能）構成について説明する。  
無線端末４は、ハードウェアとして、アクセスポイント２、３からの電波を受信するアンテナ３０を有する。電波強度監視部３２は、アンテナ３０からスマートフォンのＯＳ３１を介して受け取った電波の状態を監視する。電波強度監視部３２が監視する電波の対象は、無線端末４が通信の対象とする無線ＬＡＮ規格のＷｉ−Ｆｉ（登録商標）である。電波強度監視部３２は、所定の閾値に基づいて圏外か圏内かを判定している。具体的には、電波強度監視部３２は、アンテナ３０から受信した電波の強度を監視して、電波の強度が所定の閾値よりも低ければ圏外と判定し、電波の強度が所定の閾値よりも高ければ圏内と判定する。
【００３５】
スマートフォンのＯＳ３１は、アプリケーションソフトウェアとハードウェアのなかだちを行う基本ソフトウェアである。アプリケーションソフトウェアからのシステムコールやサービス関数呼出しという形で機能が提供される。
【００３６】
具体的には、スマートフォン側には、スマートフォンのＯＳ３１とディスプレイ（表示部）３３が設けられている。ソフトフォン側には、電波強度監視部３２、記憶部３４及び画面制御部３５が設けられている。また、ユーザの通話に関する処理を制御する呼制御部（図示せず）が設けられている。
【００３７】
電波強度監視部３２により判定された圏外／圏内の情報は記憶部３４に記憶される。画面制御部３５は、ＯＳ３１から画面点灯命令を受け取ると、記憶部３４に記憶された圏外／圏内の情報に基づいて点灯要求をＯＳ３１に送る。ＯＳ３１は点灯要求に基づいてディスプレイ３３に画面点灯を指示してディスプレイ３３の画面を点灯させる。
【００３８】
また、記憶部３４には、図８に示す画面点灯設定値を格納する画面点灯設定値テーブルが記憶される。画面制御部３５は、画面点灯設定値テーブルの内容を参照してディスプレイ３３の画面を点灯させる。
【００３９】
ここで、図８を参照して、画面点灯設定値を格納する画面点灯設定値テーブルについて説明する。図８に示すように、設定項目として、「設定ＯＮ／ＯＦＦ」、「点灯間隔」、「点灯回数」がある。設定値として、「ＯＮ／ＯＦＦ」、「３０秒／６０秒」、「１０回／３０回／６０回／指定なし」がある。また、デフォルトとして、「ＯＦＦ」、「３０秒」、「指定なし」がある。
【００４０】
例えば、圏外時の画面点灯をＯＮに設定し、点灯間隔を３０秒に設定し、点灯回数を１０回に設定した場合には、Ｗｉ−Ｆｉの設定がＯＮになっていることを条件に、圏外において、点灯間隔が３０秒で点灯回数が１０回の点滅動作が行われる。圏外時の画面点灯をＯＦＦに設定した場合には、圏外時の点灯動作は行われない。点灯回数を「指定なし」に設定した場合には、圏外時の点灯動作は制限なく行われる。
【００４１】
尚、設定項目として、「設定ＯＮ／ＯＦＦ」の設定が行われない場合には、デフォルト(初期設定)として「ＯＦＦ」が自動的に設定され、圏外時の点灯動作は行われない。また、設定項目として、「点灯間隔」の設定が行われない場合には、デフォルトとして、「３０秒」が自動的に設定され、圏外時の点灯動作は３０秒間隔で行われる。また、設定項目として、「点灯回数」の設定が行われない場合には、デフォルトとして、「指定なし」が自動的に設定されて圏外時の点灯動作は制限なく行われる。
【００４２】
次に、図４を参照して、既存の無線端末４０が圏内１から圏外に、圏外から圏内２に移動する際の動作について説明する。
【００４３】
図４において、圏内１、圏外、圏内２は、図１に示す圏内１、圏外、圏内２に対応しており、圏内１にはアクセスポイント３が存在し、圏内２ではアクセスポイント２が存在し、圏外ではアクセスポイントは存在しない（図１参照）。既存の無線端末４０とは、無線端末４０の表示画面を消灯（ＯＦＦ）させた状態で移動する際に、圏外から圏内２に移動した時に、圏内２に入ってもアクセスポイント２からの電波を受信できない無線端末を言う。このような無線端末４０では、アクセスポイント２の圏内でも通話ができない事態が生じてしまう。
【００４４】
図４に示すように、無線端末４０の画面を消灯にした状態で、圏内１から圏外、圏外から圏内２に移動する場合を想定する。圏内１にはアクセスポイント３が配置されており、圏内２にはアクセスポイント２が配置されている。
【００４５】
圏内１では、アクセスポイント３からの電波が届いるため、Ｗｉ−Ｆｉ接続がされ着信が可能である。圏外では、アクセスポイントが存在しないので、Ｗｉ−Ｆｉ接続がされておらず、着信はできない。圏内２では、アクセスポイント２からの電波は届いてはいるが、Ｗｉ−Ｆｉを検知できず着信はできない。このように、既存の無線端末４０では、無線端末４０の画面を消灯にした状態で、圏外から圏内２に移動する場合、Ｗｉ−Ｆｉ接続を復旧できないようになっている。
【００４６】
実施例では、無線機端４の画面を消灯にした状態で、圏外から圏内２に移動する場合でも、Ｗｉ−Ｆｉ接続を復旧して着信を可能にする。
【００４７】
図５を参照して、実施例の無線端末４が圏内１から圏外に、圏外から圏内２に移動する際の動作について説明する。
【００４８】
図５において、圏内１、圏外、圏内２は、図１に示す圏内１、圏外、圏内２に対応しており、圏内１にはアクセスポイント３が存在し、圏内２ではアクセスポイント２が存在し、圏外ではアクセスポイントは存在しない（図１参照）。実施例の無線端末４とは、無線端末４の表示画面を消灯させた状態で移動する際に、圏外から圏内２に移動して圏内２に入った場合に、アクセスポイント２からの電波を受信して着信が行える無線端末を言う。
【００４９】
図５に示すように、無線端末４の画面を消灯（ＯＦＦ）にした状態で、圏内１から圏外、圏外から圏内２に移動する場合、圏外において定期的に無線端末４の表示画面を点灯（ＯＮ）させるように制御する。このように、圏外において定期的に無線端末４の表示画面を点灯（ＯＮ）させるように制御すると、圏外から圏内２に移動する場合、Ｗｉ−Ｆｉ接続を復旧できるようになる。
【００５０】
次に、図６、図７を参照して、実施例の無線端末４の動作について説明する。
【００５１】
ここで、図６は、画面点灯のための圏外と判定するフローチャートを示す。図７は、画面を点灯する際のフローチャートを示す。ここで、左側の処理はアプリケーション側の処理であり、右側の処理はＯＳ側の処理である。ここで、アプリケーションとは、例えば、ソフトフォンアプリケーション（プログラム）のことである。
【００５２】
図６に示すように、圏外時にはＷｉ−ＦｉのＩＰアドレスを消失する（Ｓ６０１）。ＩＰアドレスを消失の判定は、図２のＣＰＵ１００が行う。この結果、Ｗｉ−Ｆｉを介して構内交換機１に接続されたアクセスポイント２、３からの電波を受信することができないため着信はできない。
【００５３】
次に、図２のＣＰＵ１００が、図３の記憶部３４に記憶されている画面点灯設定値テーブル（図８参照）を参照して、圏外時の画面点灯の設定が点灯（ＯＮ）になっているかを判定する（Ｓ６０２）。
【００５４】
次に、Ｓ６０２での判定の結果、圏外時の画面点灯の設定がＯＮになっている場合には、ＣＰＵ１００はＷｉ−Ｆｉの設定がＯＮになっているかを判定する（Ｓ６０３）。
【００５５】
次に、Ｓ６０３での判定の結果、Ｗｉ−Ｆｉの設定がＯＮになっている場合には、点灯間隔を画面点灯設定値テーブル（図８参照）からを取得する（Ｓ６０４）。図８に示すように、点灯間隔は、３０秒あるいは６０秒に設定可能である。
【００５６】
次に、Ｓ６０４において、点灯間隔を取得したら、Ｗｉ−Ｆｉ圏外時点灯要求をＯＳ側に出す（Ｓ６０５）。
【００５７】
Ｓ６０５において、Ｗｉ−Ｆｉ圏外時点灯要求を受け取ったＯＳは、「点灯処理開始」の処理を行う（Ｓ６０６）。初回は、即時「画面点灯命令」に遷移する。
【００５８】
尚、Ｓ６０２で圏外時の画面点灯の設定がＯＮになっていない場合には何の処理も行わない（Ｓ６０７）。また、Ｓ６０３でＷｉ−Ｆｉの設定がＯＮになっていない場合にも、何の処理も行わない（Ｓ６０７）。ここで、「何の処理も行わない」とは、画面を点灯するための処理を行わないこと意味する。
【００５９】
次に、図７に示すように、ＯＳ側が「画面点灯命令」を受け取った場合（Ｓ７００）に、ＯＳ側はアプリケーション側に「画面点灯命令」を送り、アプリケーション側は「画面点灯命令」を受信する（Ｓ７０１）。
【００６０】
「画面点灯命令」を受信すると、アプリケーション側は点灯回数に１を足しながら、表示画面の点灯を繰り返す（Ｓ７０２）。
【００６１】
アプリケーション側は、点灯回数が設定値以上に到達、もしくはＷｉ−Ｆｉの接続ができたかを判定する（Ｓ７０３）。点灯回数が設定値以上に到達、もしくはＷｉ−Ｆｉの接続ができた場合には、画面点灯設定を解除する（Ｓ７０４）。この結果、表示画面の点灯は中止される。
【００６２】
点灯回数が設定値以上に到達しておらずＷｉ−Ｆｉの接続ができていない場合には、画面を点灯させておき（Ｓ７０５）、「次回点灯要求」をＯＳ側に出す（Ｓ７０６）。
【００６３】
「次回点灯要求」を受け取ったＯＳ側は、「点灯処理開始」の処理を行う。２回目以降は、設定時間経過後に「画面点灯命令」に遷移する（Ｓ７０７）。
【００６４】
実施例によれば、アクセスポイントの圏内で通話ができない事態が生じることを防止することができる。
【符号の説明】
【００６５】
１  構内交換機（ＩＰ−ＰＢＸ）
２  アクセスポイント
３  アクセスポイント
４  無線端末
３０  アンテナ
３１  ＯＳ
３２  電波強度監視部
３３  ディスプレイ
３４  記憶部
３５  画面制御部
【図１】
2018170615.tif 000003
【図２】
2018170615.tif 000004
【図３】
2018170615.tif 000005
【図４】
2018170615.tif 000006
【図５】
2018170615.tif 000007
【図６】
2018170615.tif 000008
【図７】
2018170615.tif 000009
【図８】
2018170615.tif 000010